(57)【要約】【課題】プラズマディスプレイパネルを提供する。【解決手段】離隔されて互いに対向する第１基板及び第２基板と、第１基板と第２基板との間の空間を区画して複数の放電セルを形成する隔壁と、第１基板上に配置され、一方向に延長されるＸ電極及びＹ電極と、溝状の電界集中部を備え、Ｘ電極とＹ電極とを覆うように形成される第１誘電体層と、第２基板上に配置され、Ｘ電極及びＹ電極と交差するように延びるＡ電極と、Ａ電極を覆うように形成される第２誘電体層と、放電セル内に配置される蛍光体層と、放電セル内に充填される放電ガスとを備え、電界集中部の中央部からＸ電極までの距離が、電界集中部の中央部からＹ電極までの距離より短いプラズマディスプレイパネルである。【選択図】図２
2007019005.tif 000002
【特許請求の範囲】
【請求項１】
離隔されて互いに対向する第１基板及び第２基板と、
前記第１基板と前記第２基板との間の空間を区画して複数の放電セルを形成する隔壁と、
前記第１基板上に配置されて一方向に延長されるＸ電極及びＹ電極と、
溝状の電界集中部を備え、前記Ｘ電極と前記Ｙ電極とを覆うように形成される第１誘電体層と、
前記第２基板上に配置され、前記Ｘ電極及びＹ電極と交差するように延びるＡ電極と、
前記Ａ電極を覆うように形成される第２誘電体層と、
前記放電セル内に配置される蛍光体層と、
前記放電セル内に充填される放電ガスと、を備え、
前記電界集中部の中央部から前記Ｘ電極までの距離は、前記電界集中部の中央部から前記Ｙ電極までの距離より短いプラズマディスプレイパネル。
【請求項２】
前記電界集中部は、前記第１誘電体層の前記放電セルそれぞれに対応する部分に複数形成され、複数の電界集中部のそれぞれは、前記第１誘電体層の前記隔壁に対応する部分により、互いに離隔されるように形成される請求項１に記載のプラズマディスプレイパネル。
【請求項３】
前記Ｘ電極及び前記Ｙ電極のそれぞれは、
前記一方向に連続して延びる一体化した構造のバス電極と、
前記バス電極の前記複数の放電セルそれぞれに対応する部分に複数形成され、前記バス電極の前記隔壁に対応する部分により、互いに離隔されるように形成されるセグメント構造の透明電極と、を備える請求項１に記載のプラズマディスプレイパネル。
【請求項４】
前記セグメント構造の透明電極は、前記第１基板側から見て長方形になる請求項３に記載のプラズマディスプレイパネル。
【請求項５】
前記セグメント構造の透明電極は、前記第１基板側から見てＴ字状になる請求項３に記載のプラズマディスプレイパネル。
【請求項６】
前記Ｘ電極及び前記Ｙ電極のそれぞれは、
前記一方向に連続して延びる一体化した構造のバス電極と、
前記バス電極上で連続して延びる一体化した構造の透明電極と、を備える請求項１に記載のプラズマディスプレイパネル。
【請求項７】
前記電界集中部を前記第１基板に垂直でかつ前記Ａ電極に平行に切断した断面が、長方形の溝状である請求項１に記載のプラズマディスプレイパネル。
【請求項８】
前記電界集中部を前記第１基板に垂直でかつ前記Ａ電極に平行に切断した断面が、台形の溝状である請求項１に記載のプラズマディスプレイパネル。
【請求項９】
前記第１誘電体層を保護するための保護膜をさらに備える請求項１に記載のプラズマディスプレイパネル。
【請求項１０】
前記蛍光体層が前記放電セル内の前記第２誘電体層及び隔壁上に形成される請求項１に記載のプラズマディスプレイパネル。
【発明の詳細な説明】
【技術分野】
【０００１】
本発明は、プラズマディスプレイパネルに係り、より詳細には、放電を起こす電極の間に溝状の電界集中部が形成されるプラズマディスプレイパネルに関する。
【背景技術】
【０００２】
最近、プラズマディスプレイパネル(ＰＤＰ：Ｐｌａｓｍａ  Ｄｉｓｐｌａｙ  Ｐａｎｅｌ）が大型平板ディスプレイ装置として注目されている。ＰＤＰは、複数の電極が形成された両基板の間に放電ガスを封入し、電極に電圧を印加して放電を起こし、放電による真空紫外線を発生させて、真空紫外線が所定のパターンに形成された蛍光体を励起させる過程で発生する可視光線を利用して、所望の画像を表示する装置である。
【０００３】
従来のＰＤＰは、第１パネル及び第２パネルを備える。第１パネルには、第１基板、透明電極とバス電極とを備えるＸ電極(共通電極)及びＹ電極(走査電極)、第１誘電体層、及び保護膜が備えられる。第２パネルには、第２基板、Ａ電極(アドレス電極)、第２誘電体層、隔壁、及び蛍光体層が備えられる。
【０００４】
第１基板及び第２基板は、離隔されて相互に平行に対向する。両基板の間の空間は、隔壁により区画され、放電を起こす単位放電空間としての放電セルを形成する。それぞれの放電セルでＸ電極及びＹ電極とＡ電極とが交差する。放電セルの内部には、放電セル内部に備えられる誘電体などによりパネルキャパシタが形成される。すなわち、放電セルは、誘電体と放電セルを取り囲む電極によって形成されるパネルキャパシタに等価モデリングされうる。
【０００５】
維持放電を起こすＸ電極とＹ電極間の距離が近くなれば、それだけ印加せねばならない駆動電圧を低めうるという長所がある。一方、放電空間を広く活用できないので、発光効率が落ちて高輝度の表現が困難になるという短所がある。また、Ｘ電極とＹ電極間の距離が近くなれば、それだけパネルキャパシタが増加するという短所もある。
【０００６】
維持放電を起こすＸ電極とＹ電極間の距離が遠くなれば、放電空間を広く活用できて発光効率が上昇するという長所がある。一方、それだけ印加せねばならない駆動電圧を高めなければならないため、消費電力が増加するという短所がある。
【発明の開示】
【発明が解決しようとする課題】
【０００７】
本発明は、電界集中部が偏向した構造を有するようにして、アドレス放電に必要な壁電荷の流失を防止できるＰＤＰを提供することを目的とする。
【課題を解決するための手段】
【０００８】
前記の目的を達成するために本発明は、離隔されて互いに対向する第１基板及び第２基板と、前記第１基板と前記第２基板との間の空間を区画して複数の放電セルを形成する隔壁と、前記第１基板上に配置され、一方向に延長されるＸ電極及びＹ電極と、溝状の電界集中部を備え、前記Ｘ電極と前記Ｙ電極とを覆うように形成される第１誘電体層と、前記第２基板上に配置され、前記Ｘ電極及びＹ電極と交差するように延びるＡ電極と、前記Ａ電極を覆うように形成される第２誘電体層と、前記放電セル内に配置される蛍光体層と、前記放電セル内に充填される放電ガスとを備え、前記電界集中部の中央部から前記Ｘ電極までの距離は、前記電界集中部の中央部から前記Ｙ電極までの距離より短いＰＤＰを提供する。
【０００９】
前記電界集中部は、前記第１誘電体層の前記複数の放電セルそれぞれに対応する部分に複数形成され、複数の電界集中部のそれぞれは、前記第１誘電体層の前記隔壁に対応する部分により、互いに離隔されるように形成されることが望ましい。
【００１０】
前記Ｘ電極及び前記Ｙ電極のそれぞれは、前記一方向に連続して延びる一体化した構造のバス電極と、前記バス電極の前記複数の放電セルそれぞれに対応する部分に複数形成され、前記バス電極の前記隔壁に対応する部分により、互いに離隔されるように形成されるセグメント構造の透明電極とを備えることが望ましい。
【００１１】
前記セグメント構造の透明電極は、前記第１基板側から見て長方形になることが望ましい。
前記セグメント構造の透明電極は、前記第１基板側から見てＴ字状になることが望ましい。
【００１２】
前記Ｘ電極及び前記Ｙ電極のそれぞれは、前記一方向に連続して延びる一体化した構造のバス電極と、前記バス電極上で連続して延びる一体化した構造の透明電極とを備えることが望ましい。
【００１３】
前記電界集中部を前記第１基板に垂直でかつ前記Ａ電極に平行に切断した断面が、長方形の溝状であることが望ましい。
前記電界集中部を前記第１基板に垂直でかつ前記Ａ電極に平行に切断した断面が、台形の溝状であることが望ましい。
【発明の効果】
【００１４】
本発明によるＰＤＰによれば、電界集中部が偏向した構造を有するようにして、アドレス放電に必要な壁電荷の流失を防止できる。
また、安定したアドレス電圧が得られて、アドレス駆動電圧の大きさを下げることができる。
【発明を実施するための最良の形態】
【００１５】
以下、添付した図面を参照して、本発明の望ましい実施形態を詳細に説明する。
図１は、本発明による偏向した電界集中部が形成される望ましい実施形態であって、ＰＤＰの分離斜視図である。図２は、図１に示したＰＤＰにおいて、ＩＩ−ＩＩ線による断面図である。図３は、図１に示したＰＤＰにおいて、第１基板側から見てＸ電極側に偏向した電界集中部を示した概略図である。図４は、図１に示したＰＤＰにおいて、Ｘ電極側に偏向した電界集中部を示した概略図である。
【００１６】
図面を参照すれば、ＰＤＰ１は、第１パネル１０及び第２パネル２０を備える。第１パネル１０は、第１基板１０２、Ｘ電極１１２、Ｙ電極１１４、第１誘電体層１０９ａ、保護膜１１０、及び電界集中部１２０を備える。Ｘ電極１１２は、透明電極１１２ａとバス電極１１２ｂとを備える。Ｙ電極１１４は、透明電極１１４ａとバス電極１１４ｂとを備える。第２パネル２０は、第２基板１０４、Ａ電極１１６、第２誘電体層１０９ｂ、隔壁１０６、及び蛍光体層１０８を備える。
【００１７】
第１基板１０２と第２基板１０４とは、所定間隔で離隔されて相互に対向する。この時、第１基板１０２と第２基板１０４とは、互いに平行に配置されうる。隔壁１０６は、第１基板１０２と第２基板１０４との間の空間を区画して複数の放電セルを形成する。
【００１８】
Ａ電極１１６は、第２基板１０４上に配置され、Ｘ電極１１２及びＹ電極１１４と交差するように延びる。この時、それぞれの放電セルでＸ電極１１２及びＹ電極１１４とＡ電極１１６とが交差する。前記放電セル内の隔壁１０６及び第２誘電体層１０９ｂ上には、蛍光体層１０８が形成される。また、放電セル内には放電ガスが充填される。
【００１９】
第１誘電体層１０９ａは、Ｘ電極１１２とＹ電極１１４とを覆うように形成される。第１誘電体層１０９ａには、放電セルに向かう面に溝状の電界集中部１２０が形成される。前記第１誘電体層１０９ａの放電セルに向かう面には、第１誘電体層１０９ａを保護するための酸化マグネシウム(ＭｇＯ）の保護層１１０が形成される。第２誘電体層１０９ｂは、Ａ電極１１６を覆うように形成される。
【００２０】
Ｘ電極１１２及びＹ電極１１４は、第１基板１０２上に一方向に延長されるように配置される。また、電界集中部１２０を第１基板１０２に垂直でかつＡ電極１１６に平行に切断した断面が、長方形の溝状であることが望ましい。但し、図１０に示したように、電界集中部７２０を第１基板７０２に垂直でかつＡ電極７１６に平行に切断した断面が、台形の溝状である実施形態も可能である。
【００２１】
第１基板１０２と第２基板１０４との間の空間は、隔壁１０６により区画されて放電を起こす単位放電空間としての放電セルを形成する。放電セル内部には、大気圧より低い圧力の放電ガス(０.５ａｔｍ以下)が充填される。それぞれの放電セルに関与したそれぞれの電極に印加される駆動電圧により形成される電場によって、放電ガス粒子と電荷とが衝突してプラズマ放電が起き、プラズマ放電の結果により真空紫外線が発生する。
【００２２】
放電ガスとしては、Ｎｅガス、Ｈｅガス、またはＡｒガスのうちいずれか一つまたは二つ以上のガスにＸｅガスを混合した混合ガスが用いられる。
隔壁１０６は、放電セルを画定して画像の基本単位を形成させ、放電セル間のクロストークを防止する役割を担当する。本発明の望ましい実施形態によるＰＤＰの放電セルを第１基板１０２及び第２基板１０４に平行に切断した断面は、四角形、六角形または八角形などの多角形構造や円形または楕円形構造を有し得、このような隔壁１０６が配置される形状によって形成される。
【００２３】
蛍光体層１０８では、放電により発生する真空紫外線(ＶＵＶ：Ｖａｃｕｕｍ  Ｕｌｔｒａ  Ｖｉｏｌｅｔ）が吸収されることによって、励起される電子が再び安定状態になる時、可視光線を発散するフォトルミネッセンス発光メカニズムが発生する。蛍光体層１０８は、ＰＤＰがカラー画像を具現できるように赤色発光蛍光体層、緑色発光蛍光体層及び青色発光蛍光体層を備え、赤色発光蛍光体層、緑色発光蛍光体層及び青色発光蛍光体層が放電セル内に配置されて単位画素を形成しうる。
【００２４】
赤色発光蛍光体としては、(Ｙ、Ｇｄ)ＢＯ３:Ｅｕ３+などがあり、緑色発光蛍光体としては、Ｚｎ２Ｓｉ０４:Ｍｎ２+などがあり、青色発光蛍光体としては、ＢａＭｇＡｌ１０Ｏ１７:Ｅｕ２+などがある。図面では、蛍光体層１０８が放電セル内の第２誘電体層１０９ｂ及び隔壁１０６上に形成されると示されている。しかし、本発明では、蛍光体層の配置がこれに限定されず、多様な実施形態を有しうる。
【００２５】
第１誘電体層１０９ａは、Ｘ電極１１２及びＹ電極１１４の絶縁被膜として使われる誘電体層であって、高い絶縁抵抗が及び光透過率の良い材料を使用する。放電により発生した電荷の一部は、各電極１１２、１１４に印加される電圧の極性による電気的な引力に引かれて第１誘電体層１０９ａの近くで(保護膜１１０を挟んで)溜まって壁電荷を形成する。
【００２６】
第２誘電体層１０９ｂは、Ａ電極１１６の絶縁被膜として使われる誘電体層であって、絶縁抵抗の高い材料を使用する。保護膜１１０は、第１誘電体層１０９ａを保護し、放電時に２次電子の放出を増加させて放電を容易にする。保護膜１１０は、酸化マグネシウム(ＭｇＯ)などの材料を使用して形成する。
【００２７】
Ｘ電極１１２及びＹ電極１１４は、それぞれ透明電極１１２ａ、１１４ａとバス電極１１２ｂ、１１４ｂとを備える。本実施形態では、バス電極１１２ｂ、１１４ｂが一方向に連続して延びる一体化した構造を有する。透明電極１１２ａ、１１４ａは、バス電極１１２ｂ、１１４ｂ上で連続して延びる一体化した構造を有する。しかし、本発明での透明電極１１２ａ、１１４ａの形状は、これに限定されず、図８及び図９に示したように、放電セル単位にセグメント構造を有することもある。
【００２８】
透明電極１１２ａ、１１４ａは、放電セルから発散される可視光線を透過させるためにＩＴＯ(Ｉｎｄｉｕｍ  Ｔｉｎ  Ｏｘｉｄｅ)などの透明材質を使用する。一方、透明電極１１２ａ、１１４ａは、一般的に電気抵抗が高いため、高い電気伝導度を有する金属で形成されたバス電極１１２ｂ、１１４ｂを補助的に備え、各電極１１２、１１４の電気伝導度を向上させている。
【００２９】
電界集中部１２０は、第１誘電体層１０９ａをエッチングするなどの方法により形成される。Ｘ電極１１２とＹ電極１１４との間の放電経路は、電界集中部１２０により短縮され、放電経路の短縮と共に溝状の空間に電界が集中する効果あるので、電子(負極性電荷)とイオン(正極性電荷)の密度が増加してＸ電極１１２とＹ電極１１４間の放電を容易にする。また、Ｘ電極１１２とＹ電極１１４との間の距離を広げうる分、放電空間を広く活用できて発光効率が向上し、第１誘電体層１０９ａをエッチングした分、放電セルから放出される可視光線の第１パネル透過率が向上する。
【００３０】
電界集中部１２０は、第１誘電体層１０９ａのそれぞれの放電セルに対応する部分に複数形成される。それぞれの電界集中部１２０は、第１誘電体層１０９ａの隔壁１０６に対応する部分により、互いに離隔されるように形成される。しかし、本発明での電界集中部１２０は、このように離隔した構造に限定されるものではなく、例えば互いに連続して形成される構造を有しうる。
【００３１】
図面には、電界集中部１２０を第１基板１０２に垂直でかつＡ電極１１６に平行に切断した断面が、長方形の溝状に示されている。但し、図１０に示したように、電界集中部７２０を第１基板７０２に垂直でかつＡ電極７１６に平行に切断した断面を、台形の溝状にできる。しかし、本発明において、電界集中部１２０を第１基板１０２に垂直でかつＡ電極１１６に平行に切断した断面は、このような形態に限定されず、多様な形状を有しうる。
【００３２】
特に、電界集中部１２０は、Ｘ電極１１２とＹ電極１１４との間の中央に形成されず、Ｘ電極１１２方向に偏向して形成される。電界集中部１２０がＸ電極１１２とＹ電極１１４との間の中央に形成される場合には、アドレス放電のための壁電荷の形成において、Ｙ電極１１４の近くに溜まっているはずの壁電荷の一部が電界集中部１２０に流失されうる。この場合、流失される壁電荷ほどＹ電極１１４に印加されねばならないスキャンパルス電圧の絶対値を下げることができない。したがって、安定したアドレス放電のためにはＹ電極１１４に印加される高いスキャンパルス電圧が必要である。
【００３３】
特に、このような場合は、電界集中部１２０がＹ電極１１４に近接して形成される場合に発生できる。したがって、本発明による電界集中部１２０では、電界集中部１２０がＹ電極１１４からもっと離隔されて、Ｘ電極１１２方向に偏向して形成される。すなわち、電界集中部１２０の中央部からＸ電極１１２までの距離が電界集中部１２０の中央部からＹ電極１１４までの距離より短く電界集中部１２０が形成される。
【００３４】
図５は、図１に示したＰＤＰを駆動するの駆動装置を示した構成ブロック図である。
図面を参照すれば、ＰＤＰの駆動装置は、映像処理部２２、論理制御部２４、Ｘ電極駆動部２６、Ｙ電極駆動部２８、及びＡ電極駆動部２７を備える。図面において、Ｘ電極Ｘｎ、Ｙ電極Ｙｎ及びＡ電極Ａｍが交差して配置されているＰＤＰ１が共に図示されている。
【００３５】
映像処理部２２は、外部からビデオ信号、ＴＶ信号などの外部映像信号を入力されてデジタル信号に変換し、変換されたデジタル信号を映像処理して内部映像信号を生成した後、生成された内部映像信号を論理制御部２４に伝送する。
【００３６】
論理制御部２４は、映像処理部２２から伝送される内部映像信号に対してガンマ補正などの処理をしてＸ電極駆動部制御信号ＳＸ、Ｙ電極駆動部制御信号ＳＹ及びＡ電極駆動部制御信号ＳＡを生成する。
【００３７】
Ｘ電極駆動部２６は、論理制御部２４からＸ電極駆動部制御信号ＳＸを伝送されてＸ電極Ｘｎに駆動電圧を印加し、Ｙ電極駆動部２８は、論理制御部２４からＹ電極駆動部制御信号ＳＹを伝送されてＹ電極Ｙｎに駆動電圧を印加し、Ａ電極駆動部２７は、論理制御部２４からＡ電極駆動部制御信号ＳＡを伝送されてＡ電極Ａｍに駆動電圧を印加する。
【００３８】
放電セル内の放電空間では、各電極Ｘｎ、Ｙｎ、Ａｍを通じて駆動電圧が印加されることにより可視光線が発散されて、プラズマディスプレイ装置に入力される外部映像信号に相応する画像を表示する。ＰＤＰ４１２の各電極Ｘｎ、Ｙｎ、Ａｍに印加される駆動電圧は、図５を参照して説明する。
【００３９】
図６は、図１に示したＰＤＰの各電極に印加される駆動電圧の一部波形図である。
図面を参照すれば、ＰＤＰの駆動方法としてＡＤＳ(Ａｄｄｒｅｓｓ  Ｄｉｓｐｌａｙ  Ｓｅｐａｒａｔｉｏｎ)方式は、ＰＤＰの画像表示において単位フレームを複数のサブフィールドＳＦに分け、各サブフィールドＳＦをさらにリセット段階Ｒ、アドレス段階Ａ、及び維持放電段階Ｓに分けて、例えば、図示したような波形の駆動電圧を各電極に印加する方式である。
【００４０】
リセット段階Ｐｒで、Ｘ電極Ｘｎには、ＶｇからＶｘにステップ式に上昇するステップ波形の電圧を印加し、Ｙ電極Ｙｎには、Ｖｙｒ１からＶｙｒ２にランプ式に上昇する上昇ランプ式波形の電圧と、Ｖｙｒ１からＶｙｒ３にランプ式に下降する下降ランプ式波形の電圧とを備えるランプ式リセットパルス電圧を印加し、Ａ電極Ａｍには、接地電圧Ｖｇを印加してあらゆる放電セルを初期化するリセット放電を行う。
【００４１】
アドレス段階Ｐａで、Ｘ電極Ｘｎには、接地電圧Ｖｇより高い電位を有するＸ電極第１電圧Ｖｘを印加し、Ｙ電極Ｙｎには、Ｖｙａ１からＶｙａ２に下降した後にさらにＶｙａ１に維持されるスキャンパルス電圧を印加し、Ａ電極Ａｍには、ＶｇからＶｘａに上昇した後にさらにＶｇに維持されるアドレスパルス電圧を印加して表示する放電セルを選択するためのアドレス放電を行う。
【００４２】
維持放電段階Ｐｓで、Ｘ電極Ｘｎ及びＹ電極Ｙｎには、交互にＶｇ電圧とＶｓ電圧とを有する維持パルス電圧を印加し、Ａ電極Ａｍには、接地電圧Ｖｇを印加して、外部映像信号に相応する画像を表示するための維持放電を行う。
図７は、図１に示したＰＤＰにおいて、図６のような波形の駆動電圧を印加する場合に、リセット段階の終了時に各電極近くに溜まる壁電荷を示す図面である。
図面を参照すれば、リセット段階Ｐｒでは、Ｘ電極ＸｎにＶｇからＶｘにステップ式に上昇するステップ波形の電圧が印加され、Ｙ電極ＹｎにＶｙｒ１からＶｙｒ２にランプ式に上昇する上昇ランプ式波形の電圧とＶｙｒ１からＶｙｒ３にランプ式に下降する下降ランプ式波形の電圧とを備えるランプ式リセットパルス電圧が印加され、Ａ電極Ａｍに接地電圧Ｖｇが印加されることによって、各電極の間には、微弱なリセット放電が発生する。
【００４３】
リセット放電で発生した電荷の一部は、各電極に印加される電圧による電場に引かれて反対極性の電圧が印加される電極近くに溜まり、図面に示すような形態の壁電荷を形成する。リセット段階Ｐｒでは、Ｙ電極Ｙｎに全体的に強い正極性(＋)電圧であるランプ式リセットパルス電圧が印加され、Ｘ電極に全体的に正極性(＋)電圧であるステップ波形の電圧が印加され、Ａ電極Ａｍに接地電圧(Ｙ電極やＸ電極に比べて相対的に負極性(−）の電圧を有する)が印加されるので、示したように、Ｙ電極Ｙｎの近くには多量の負極性(−）の壁電荷が、Ｘ電極Ｘｎの近くには負極性(−）の壁電荷が、Ａ電極Ａｍの近くには正極性(＋)の壁電荷が溜まる。
【００４４】
このようなリセット段階Ｐｒの実行によって、全ての放電セルは、同じ壁電荷状態を有するように初期化される。
リセット段階Ｐｒの実行により、Ａ電極Ａｍの近くに溜まった正極性(＋）の壁電荷は、正極性(＋）の壁電圧を形成するが、このような正極性(＋）の壁電圧は、アドレス段階ＰａでＡ電極Ａｍに印加される正極性(＋）のアドレスパルス電圧に加えられて放電空間に電場を提供する。リセット段階Ｐｒの実行でＡ電極Ａｍの近くに溜まった正極性(＋）の壁電荷による壁電圧は、アドレス段階Ｐａで有効なアドレス放電を起こすために、Ａ電極Ａｍに印加されねばならないアドレスパルス電圧の絶対値を下げることを可能にして、表示する放電セルを選択するためのアドレス段階Ｐａの実行を容易にする。
【００４５】
また、リセット段階Ｐｒの実行により、Ｙ電極Ｙｎの近くに溜まった多量の負極性(−）の壁電荷は、負極性(−）の壁電圧を形成するが、このような負極性(−）の壁電圧は、アドレス段階ＰａでＹ電極Ｙｎに印加される負極性(−）のスキャンパルス電圧に加えられて放電空間に電場を提供する。リセット段階Ｐｒの実行により、Ｙ電極Ａｍの近くに溜まった多量の負極性(−）の壁電荷による壁電圧は、アドレス段階Ｐａで有効なアドレス放電を起こすために、Ｙ電極Ｙｎに印加されねばならないスキャンパルス電圧の絶対値を下げることを可能にして、表示する放電セルを選択するためのアドレス段階Ｐａの実行を容易にする。
【００４６】
この時、電界集中部１２０がＸ電極１１２とＹ電極１１４と間の中央に形成される場合には、リセット段階Ｐｒの終了後にＹ電極Ｙｎの近くに溜まっているはずの壁電荷の一部が電界集中部１２０に流失されうる。その流失される壁電荷ほどＹ電極Ｙｎに印加されねばならないスキャンパルス電圧の絶対値を下げることができない。したがって、安定したアドレス段階Ｐａの実行のためには、Ｙ電極Ｙｎに印加されねばならないスキャンパルス電圧の絶対値を高める必要がある。
【００４７】
しかし、本発明による電界集中部１２０では、電界集中部１２０がＹ電極１１４からもっと離隔されて、Ｘ電極１１２方向に偏向して形成して、アドレス放電に必要な壁電荷の流失を防止できる。すなわち、電界集中部１２０の中央部からＸ電極１１２までの距離が電界集中部１２０の中央部からＹ電極１１４までの距離より短く、電界集中部１２０が形成される。したがって、Ｙ電極Ｙｎの近くに溜まる多量の負極性(−）の壁電荷の一部が電界集中部８２０に流失される場合に比べて、アドレス段階でＹ電極Ｙｎに印加されねばならないスキャンパルス電圧の絶対値を下げ得るという長所がある。
【００４８】
図８及び図９は、本発明による望ましい他の実施形態であって、図１に示したＰＤＰに対して他の電極構造を有する実施形態を示した図面である。
図面を参照すれば、本実施形態によるＰＤＰは、図１に示したＰＤＰに対して、図８及び図９に示したように、透明電極の構造が異なる実施形態である。以下に説明する透明電極３１２ａ、３１４ａ、４１２ａ、４１４ａの構造を除いて、図１に示した実施形態と同じ機能を行う同じ構成要素については、類似した参照番号を使用し、その詳細な説明を省略する。
【００４９】
Ｘ電極３１２、４１２及びＹ電極３１４、４１４のそれぞれは、バス電極３１２ｂ、３１４ｂ、４１２ｂ、４１４ｂと透明電極３１２ａ、３１４ａ、４１２ａ、４１４ａとを備える。バス電極３１２ｂ、３１４ｂ、４１２ｂ、４１４ｂは、一方向に連続して延びる一体化した構造を有する。透明電極３１２ａ、３１４ａ、４１２ａ、４１４ａは、バス電極３１２ｂ、３１４ｂ、４１２ｂ、４１４ｂのそれぞれの放電セルに対応する部分に複数形成される。透明電極３１２ａ、３１４ａ、４１２ａ、４１４ａは、バス電極３１２ｂ、３１４ｂ、４１２ｂ、４１４ｂの隔壁３０６、４０６に対応する部分により、互いに離隔されるように形成されるセグメント構造を有する。
【００５０】
但し、図８に示した実施形態における透明電極３１２ａ、３１４ａは、セグメント構造を有し、第１基板側から見て長方形である。また、図９に示した実施形態での透明電極４１２ａ、４１４ａは、セグメント構造を有し、第１基板側から見てＴ字状である。
これらの実施形態の場合には、放電セルから発散される可視光線が第１パネルを透過するにおいて通過せねばならない透明電極の面積が小さくなる。したがって、本実施形態による透明電極を備えるＰＤＰでは、それだけ可視光線の透過率が向上する。
【００５１】
図１０は、本発明による望ましいさらに他の実施形態であって、図１に示したＰＤＰに対して異なる電界集中部の形状を有する実施形態を示した断面図である。
図面を参照すれば、本実施形態によるＰＤＰは、図１に示したＰＤＰに対して、図面に示したように、電界集中部７２０の形状が異なる実施形態である。以下に説明する電界集中部７２０の形状を除いて、図１に示した実施形態と同じ機能を行う同じ構成要素については、類似した参照番号を使用し、その詳細な説明を省略する。
【００５２】
本実施形態によるＰＤＰにおいて、電界集中部７２０を第１基板７０２に垂直でかつＡ電極７１６に平行に切断した断面は、台形の溝状である。すなわち、第１誘電体層７０９ａには、エッチングなどの方法によって台形の断面形状を有する溝状の部分に電界集中部７２０が形成される。この時、電界集中部７２０は、本発明によって、アドレス放電のための壁電荷の流失を防止するためにＸ電極７１２側に偏向して形成される。
図２では、電界集中部１２０を第１基板１０２に垂直でかつＡ電極１１６に平行に切断した断面が、長方形の溝状に示されているが、図１０では、電界集中部７２０を第１基板７０２に垂直でかつＡ電極７１６に平行に切断した断面が、台形の溝状に示されている。しかし、本発明において電界集中部７２０を第１基板７０２に垂直でかつＡ電極７１６に平行に切断した断面は、このような形態に限定されず、多様な形状を有する。
【００５３】
また、図面における電界集中部７２０は、Ｘ電極７１２とＹ電極７１４との間でＸ電極７１２側に偏向して形成されるため、リセット段階の終了時にＹ電極７１４側での壁電荷流失の問題が発生しなくなる。
【００５４】
本発明は、図面に示された実施形態を参考として説明されたが、これは、例示的なものに過ぎず、当業者ならば、これから多様な変形及び均等な他の実施形態が可能であるという点を理解できるであろう。したがって、本発明の真の技術的保護範囲は、特許請求の範囲の技術的思想によって決定されねばならない。
【産業上の利用可能性】
【００５５】
本発明は、ＰＤＰ関連の技術分野に好適に用いられる。
【図面の簡単な説明】
【００５６】
【図１】本発明による偏向した電界集中部が形成される望ましい実施形態であって、ＰＤＰの分離斜視図である。
【図２】図１に示したＰＤＰにおいて、ＩＩ−ＩＩ線による断面図である。
【図３】図１に示したＰＤＰにおいて、第１基板側から見てＸ電極側に偏向した電界集中部を示した概略図である。
【図４】図１に示したＰＤＰにおいて、Ｘ電極側に偏向した電界集中部を示した概略図である。
【図５】図１に示したＰＤＰを駆動する駆動装置を示した構成ブロック図である。
【図６】図１に示したＰＤＰの各電極に印加される駆動電圧の一部波形図である。
【図７】図１に示したＰＤＰにおいて、図６のような波形の駆動電圧を印加する場合に、リセット段階の終了時に各電極近くに溜まる壁電荷を示す図面である。
【図８】本発明による望ましい他の実施形態であって、図１に示したプラズマディスプレイパネルに対して異なる電極構造を有する実施形態を示した図面である。
【図９】本発明による望ましい他の実施形態であって、図１に示したプラズマディスプレイパネルに対して異なる電極構造を有する実施形態を示した図面である。
【図１０】本発明による望ましいさらに他の実施形態であって、図１に示したプラズマディスプレイパネルに対して異なる電界集中部形状を有する実施形態を示した断面図である。
【符号の説明】
【００５７】
１０２、７０２  第１基板
１０４、７０４  第２基板
１０６、３０６、７０６  隔壁
１０８、７０８  蛍光体層、
１０９ａ、７０９ａ  第１誘電体層
１０９ｂ、７０９ｂ  第２誘電体層、
１１０、７１０  保護膜
１１２、３１２、４１２、７１２  Ｘ電極、
１１４、３１４、４１４、７１４  Ｙ電極
１１６、７１６  Ａ電極、
１２０、３２０、４２０、７２０  電界集中部 
【図１】
2007019005.tif 000003
【図２】
2007019005.tif 000004
【図３】
2007019005.tif 000005
【図４】
2007019005.tif 000006
【図５】
2007019005.tif 000007
【図６】
2007019005.tif 000008
【図７】
2007019005.tif 000009
【図８】
2007019005.tif 000010
【図９】
2007019005.tif 000011
【図１０】
2007019005.tif 000012